【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
画像データを生成し、生成した画像データを送信可能な画像処理装置と、前記画像処理装置が送信した画像データに基づいて印刷を行うことが可能な印刷装置と、を備える印刷システムであって、
前記印刷装置は、
電源スイッチと、
前記電源スイッチの操作に基づいて前記印刷装置をオフ又はオンする電力制御手段と、を有し、
前記画像処理装置は、
前記印刷装置に連動して前記画像処理装置をオフ又はオンすることが可能な制御手段を有する前記印刷システムにおいて、
前記画像処理装置の電力状態を前記印刷装置の電力状態に連動させるか否かをユーザー操作を介して設定可能な設定手段を有することを特徴とする印刷システム。
【請求項２】
前記設定手段は、前記画像処理装置の電源状態を前記印刷装置の電源状態に連動させる第１の設定か、前記画像処理装置の電源状態を前記印刷装置の電源状態に連動させない第２の設定か、の何れか１つをユーザーに選択可能にして、前記画像処理装置の電力状態を前記印刷装置の電力状態に連動させるか否かをユーザー操作を介して設定可能にすることを特徴とする請求項１に記載の印刷システム。
【請求項３】
前記制御手段は、前記印刷装置のオフに連動して前記画像処理装置をオフにし、且つ、前記印刷装置のオンに連動して前記画像処理装置をオンにすることを特徴とする請求項１または２に記載の印刷システム。
【請求項４】
前記設定手段により前記画像処理装置の電力状態を前記印刷装置に連動させると設定されている場合、前記制御手段は、前記印刷装置に連動して前記画像処理装置をオフ又はオンし、前記設定手段により前記画像処理装置の電力状態を前記印刷装置に連動させると設定されていない場合、前記制御手段は、前記画像処理装置の電力状態を前記印刷装置に連動させないことを特徴とする請求項１乃至３の何れか１項に記載の印刷システム。
【請求項５】
前記印刷装置は、スリープ状態に移行可能であって、
前記制御手段は、前記設定手段による設定に関わらず、前記画像処理装置の電力状態を前記印刷装置のスリープ状態への移行には連動させないことを特徴とする請求項１乃至４の何れか１項に記載の印刷システム。
【請求項６】
前記画像処理装置が前記設定手段を備えることを特徴とする請求項１乃至５の何れか１項に記載の印刷システム。
【請求項７】
前記画像処理装置は、前記印刷装置の電力状態によって異なる信号を受信する受信手段をさらに有し、
前記制御手段は、前記画像処理装置の電力状態を前記印刷装置に連動するよう設定されている場合、前記受信手段によって受信された前記信号に基づいて前記画像処理装置をオフ又はオンすることを特徴とする請求項１乃至６の何れか１項に記載の印刷システム。
【請求項８】
前記画像処理装置と前記印刷装置とは、第１のケーブルを介して接続され、
前記画像処理装置から前記生成した画像データは、前記第１のケーブルを介して前記印刷装置に送信され、
前記画像処理装置と前記印刷装置とは、第２のケーブルを介しても接続され、
前記受信手段は、前記第２のケーブルを介して、前記信号を受信することを特徴とする請求項７に記載の印刷システム。
【請求項９】
前記画像処理装置の電力状態を前記印刷装置に連動させるか否かを選択する選択画面を表示する表示手段をさらに備えることを特徴とする請求項１乃至８の何れか１項に記載の印刷システム。
【請求項１０】
前記印刷装置が前記表示手段を有することを特徴とする請求項９に記載の印刷システム。
【請求項１１】
前記電源スイッチを操作したときに移行するべき前記印刷装置の電力状態を示す情報を保持する保持手段をさらに有し、
前記電力制御手段は、前記保持手段にオフ状態を示す情報が保持されている場合、前記電源スイッチの操作に基づいて前記印刷装置をオフし、前記保持手段にサスペンド状態を示す情報が保持されている場合、前記電源スイッチの操作に基づいて前記印刷装置をサスペンド状態にすることを特徴とする請求項１乃至１０の何れか１項に記載の印刷システム。
【請求項１２】
前記画像処理装置は、ページ記述言語で記述されたデータを受信する受信手段と、受信された前記データから前記印刷装置が印刷可能な形式の前記画像データを生成する機能を備え、
前記印刷装置は、前記画像処理装置によって生成された前記画像データに基づいて印刷を行う機能だけでなく、スキャン機能およびコピー機能を備えることを特徴とする請求項１乃至１１の何れか１項に記載の印刷システム。
【請求項１３】
印刷装置とは別の装置である画像処理装置であって、画像データを生成し、生成した画像データを前記印刷装置に送信可能な画像処理装置であって、
前記印刷装置に連動して前記画像処理装置をオフ又はオンする制御手段を備え、
前記制御手段は、前記画像処理装置の電力状態を前記印刷装置に連動させるか否かについての、ユーザー操作を介した設定に基づいて、前記画像処理装置をオフ又はオンすることを特徴とする画像処理装置。
【請求項１４】
前記設定は、前記画像処理装置の電源状態を前記印刷装置の電源状態に連動させる第１の設定か、前記画像処理装置の電源状態を前記印刷装置の電源状態に連動させない第２の設定か、の何れかのうち、ユーザーによって選択された設定であることを特徴とすることを特徴とする請求項１３に記載の画像処理装置。
【請求項１５】
前記制御手段は、前記印刷装置のオフに連動して前記画像処理装置をオフにし、且つ、前記印刷装置のオンに連動して前記画像処理装置をオンにすることを特徴とする請求項１３または１４に記載の画像処理装置。
【請求項１６】
前記設定が前記画像処理装置の電力状態を前記印刷装置に連動させる設定の場合、前記制御手段は、前記印刷装置に連動して前記画像処理装置をオフ又はオンし、前記設定が前記画像処理装置の電力状態を前記印刷装置に連動させない設定の場合、前記制御手段は、前記画像処理装置の電力状態を前記印刷装置に連動させないことを特徴とする請求項１３乃至１５の何れか１項に記載の画像処理装置。
【請求項１７】
前記印刷装置は、スリープ状態に移行可能であって、
前記制御手段は、前記設定手段による設定に関わらず、前記画像処理装置の電力状態を前記印刷装置のスリープ状態への移行には連動させないことを特徴とする請求項１３乃至１６の何れか１項に記載の画像処理装置。
【請求項１８】
前記印刷装置の電力状態によって異なる信号を受信する受信手段をさらに有し、
前記制御手段は、前記画像処理装置の電力状態を前記印刷装置に連動させるよう設定されている場合、前記受信手段によって受信された信号に基づいて前記画像処理装置をオフ又はオンすることを特徴とする請求項１３乃至１７の何れか１項に記載の画像処理装置。
【請求項１９】
前記画像処理装置は、第１のケーブルを介して、生成した画像データを前記印刷装置に送信し、
前記受信手段は、前記第１のケーブルとは異なる第２のケーブルを介して、前記信号を受信することを特徴とする請求項１８に記載の画像処理装置。
【請求項２０】
前記印刷装置は、前記画像処理装置によって生成された前記画像データに基づいて印刷を行う機能だけでなく、スキャン機能およびコピー機能を備え、
前記画像処理装置は、
ページ記述言語で記述されたデータを受信する受信手段と、
前記受信されたデータから前記印刷装置が印刷可能な形式の前記画像データを生成する生成手段と、
を備えることを特徴とする請求項１３乃至１９の何れか１項に記載の画像処理装置。
【請求項２１】
画像データを生成し、生成した画像データを送信可能な画像処理装置と、前記画像処理装置とは別の装置であって前記画像処理装置が送信した画像データに基づいて印刷を行うことが可能な印刷装置と、を備える印刷システムの電源連動方法であって、
前記印刷装置に設けられる電源スイッチの操作に基づいて前記印刷装置をオフ又はオンする第１の電力制御工程と、
前記印刷装置に連動して前記画像処理装置をオフ又はオンする第２の電力制御工程と、
を実行可能な印刷システムの電源連動方法において、
前記第２の電力制御工程を実行するか否かをユーザー操作を介して設定可能な設定工程を有することを特徴とする印刷システムの電源連動方法。
【請求項２２】
前記設定工程は、前記画像処理装置の電源状態を前記印刷装置の電源状態に連動させる第１の設定か、前記画像処理装置の電源状態を前記印刷装置の電源状態に連動させない第２の設定か、の何れか１つをユーザーに選択可能にして、前記画像処理装置の電力状態を前記印刷装置の電力状態に連動させるか否かをユーザー操作を介して設定可能にする工程であることを特徴とする請求項２１に記載の電源連動方法。
【請求項２３】
前記電源スイッチの操作に基づいて前記印刷装置をオフすることもオフすることも可能であることを特徴とする請求項２１または２２に記載の電源連動方法。
【請求項２４】
前記設定工程によって前記第２の電力制御工程を実行すると設定されている場合に、前記第２の電力制御工程によって前記画像処理装置は前記印刷装置に連動してオフ又はオンにされ、前記設定工程によって前記第２の電力制御工程を実行すると設定されていない場合に、前記第２の電力制御工程が実行されず、前記画像処理装置は前記印刷装置に連動してオフ又はオンにされないことを特徴とする請求項２１乃至２３の何れか１項に記載の電源連動方法。
【請求項２５】
前記印刷装置はスリープ状態に移行可能であり、
前記画像処理装置の電力状態を前記印刷装置に連動させるか否かの設定に関わらず、前記画像処理装置の電力状態を前記印刷装置のスリープ状態への移行には連動させないことを特徴とする請求項２１乃至２４の何れか１項に記載の電源連動方法。
【請求項２６】
前記印刷装置の電力状態によって異なる信号を受信する受信工程をさらに有し、
前記第２の電力制御工程は、前記受信手段によって受信された信号に基づいて前記画像処理装置をオフ又はオンすることを特徴とする請求項２１乃至２５の何れか１項に記載の電源連動方法。
【請求項２７】
第１のケーブルを介して、生成した画像データを前記印刷装置に送信する送信工程と、
前記第１のケーブルとは異なる第２のケーブルを介して、前記信号を前記印刷装置から前記画像処理装置に送信する別の送信工程と、をさらに有し、
前記受信工程は、前記別の送信工程によって送信された前記信号を受信すること特徴とする請求項２６に記載の電源連動方法。
【請求項２８】
前記画像処理装置の電力状態を前記印刷装置に連動させるか否かを選択する選択画面を表示する表示工程をさらに有することを特徴とする請求項２１乃至２７の何れか１項に記載の電源連動方法。
【請求項２９】
前記電源スイッチを操作したときに移行するべき前記印刷装置の電力状態を示す情報を保持する保持工程をさらに有し、
前記第１の電力制御工程は、前記保持工程によってオフ状態を示す情報が保持されている場合に、前記電源スイッチの操作に基づいて前記印刷装置をオフすることを特徴とする請求項２１乃至２８の何れか１項に記載の電源連動方法。
【請求項３０】
前記画像処理装置は、ページ記述言語で記述されたデータを受信し、受信された前記データから前記印刷装置が印刷可能な形式の前記画像データを生成する機能を備え、
前記印刷装置は、前記画像処理装置によって生成された前記画像データに基づいて印刷を行う機能だけでなく、スキャン機能およびコピー機能を備えることを特徴とする請求項２１乃至２９の何れか１項に記載の電源連動方法。
【手続補正２】
【補正対象書類名】明細書
【補正対象項目名】００１２
【補正方法】変更
【補正の内容】
【００１２】
本発明の印刷システムは、画像データを生成し、生成した画像データを送信可能な画像処理装置と、前記画像処理装置が送信した画像データに基づいて印刷を行うことが可能な印刷装置と、を備える印刷システムであって、前記印刷装置は、電源スイッチと、前記電源スイッチの操作に基づいて前記印刷装置をオフ又はオンする電力制御手段と、を有し、前記画像処理装置は、前記印刷装置に連動して前記画像処理装置をオフ又はオンすることが可能な制御手段を有する前記印刷システムにおいて、前記画像処理装置の電力状態を前記印刷装置の電力状態に連動させるか否かをユーザー操作を介して設定可能な設定手段を有する。